(57)【要約】【課題】商用電源線と信号入出力線とを有する電子機器に対する雷サージを確実に保護すると共に、電子機器の設計余裕度を高くする。【解決手段】通信線２Ａ、２Ｂと電源線３Ａ、３Ｂとの接地間や、電話或いはＦＡＸ１の接地端子と電源線との接地間の電位差に基づいてサージ電圧が電話或いはＦＡＸ１に印加されることに着目して、雷サージに対して電子機器を保護するためのサージ吸収器を設けている。すなわち、通信線２Ａ電源線３Ａとを電気的に接続する第１サージ吸収器１１と、通信線２Ｂと電源線３Ｂとを電気的に接続する第２サージ吸収器１２と、第１サージ吸収器１１と前記第２サージ吸収器１２とを電気的に接続する第３サージ吸収器１３とを設けている。【選択図】      図１
2004357363.tif 000002
【特許請求の範囲】
【請求項１】
複数の入出力線及び複数の電源線が接続される電子機器の雷保護回路であって、
前記複数の入出力線のうちの１本の第１入出力線と、複数の電源線のうちの１本の第１電源線とが電気的に接続される第１サージ吸収器と、
前記第１入出力線とは異なる第２入出力線と、前記第１電源線とは異なる第２電源線とが電気的に接続される第２サージ吸収器と、
前記第１サージ吸収器と前記第２サージ吸収器とが電気的に接続される第３サージ吸収器と
を備えることを特徴とする雷保護回路。
【請求項２】
複数の入出力線及び複数の電源線が接続される電子機器の雷保護回路であって、
前記複数の入出力線のうちの１本の第１入出力線と、複数の電源線のうちの１本の第１電源線とが電気的に接続される第１サージ吸収器と、
前記第１入出力線とは異なる第２入出力線と、前記第１電源線とは異なる第２電源線とが電気的に接続される第２サージ吸収器と、
前記複数の入出力線間を電気的に接続する第３サージ吸収器と
を備えることを特徴とする雷保護回路。
【請求項３】
複数の入出力線及び単相３線式の電源線が接続される電子機器の雷保護回路であって、
前記複数の入出力線のうちの１本の第１入出力線と、中性線に相当する電源線とが電気的に接続される第１サージ吸収器と、
前記第１入出力線とは異なる第２入出力線と、前記中性線に相当する電源線とが電気的に接続される第２サージ吸収器と
を備えることを特徴とする雷保護回路。
【請求項４】
アース端子を備え、単相３線式の電源線が接続される電子機器の雷保護回路であって、
前記アース端子と、中性線に相当する電源線とが電気的に接続されるサージ吸収器を備えることを特徴とする雷保護回路。
【発明の詳細な説明】
【０００１】
【発明の属する技術分野】
本発明は、商用電源により使用される各種電子機器を誘導雷から保護するための雷保護回路に関する。
【０００２】
【従来の技術】
従来より、商用電源と接続されて、他の通信線やアンテナ線などの入出力線を備える通信機器等の電子機器の雷サージに対する保護を目的として、下記の特許文献１〜特許文献３に記載されているように、テーブルタップ、雷保護機能付コンセント、バイパスアレスタ法と呼ばれる技術を採用した雷防護アダプタなどが知られている。
【０００３】
このバイパスアレスタ法を採用した技術は、通信線側の保安器のアースと、電源線側の雷保護器のアースとを接続することにより、通信線側からの雷サージ或いは電源線側からの雷サージがアースを通じて大地に抜けるときに、一方のアースに発生する電位が他方のアースに雷サージとしてかかることを防止している。これにより、従来の技術では、通信機器等を雷サージに対する保護を完全にできるものとしていた。
【０００４】
【特許文献１】
特開２０００−３７０３５号公報
【０００５】
【特許文献２】
特開２０００−１０６２５５号公報
【０００６】
【特許文献３】
特開平９−１８２２７６号公報
【０００７】
【発明が解決しようとする課題】
しかしながら、前記従来の技術では、雷サージの電子機器に対する侵入経路の把握が十分でないという問題点がある。したがって、従来の技術では、電源線側の雷保護及び信号入出力線側の雷保護を別々に考慮する必要があった。また、従来の技術では、雷保護回路を構成する雷保護素子の選択も困難であるため、除去すべき過電圧レベルを精度良く設定して雷保護回路を設計することが困難であり、高信頼度の雷保護回路の設計をすることが困難であった。
【０００８】
また、従来では、雷サージが電子機器に侵入する経路に関する諸説として、電気学会技術報告第５２２号にて知られている拘束電荷説が存在するが、当該拘束電荷説は雷サージに対する保護に関して否定されているにも拘わらず、この拘束電荷説に基づいた雷サージの侵入経路に対して電子機器を保護する雷保護回路が提案されているのが現状である。すなわち、従来の電子機器では、電源線や通信線からアース線に雷サージが抜けるとして雷保護回路の設計をしていた。
【０００９】
そこで、本発明は、上述した実情に鑑みて提案されたものであり、商用電源線と信号入出力線とを有する電子機器に対する雷サージを確実に保護すると共に、電子機器の設計余裕度を高くすることができる雷保護回路を提供することを目的とする。
【００１０】
【課題を解決するための手段】
上述の課題を解決するために、本発明では、入出力線と電源線との接地間や、電子機器の接地端子と電源線との接地間の電位差に基づいてサージ電圧が電子機器に印加されることに着目して、雷サージに対して電子機器を保護するためのサージ吸収器を設けた雷保護回路を提供する。
【００１１】
すなわち、本発明に係る雷保護回路は、第１サージ吸収器を、複数の入出力線のうちの１本の第１入出力線と複数の電源線のうちの１本の第１電源線とを電気的に接続するように設け、第２サージ吸収器を、前記第１入出力線とは異なる第２入出力線と前記第１電源線とは異なる第２電源線とを電気的に接続するように設け、第３サージ吸収器を、前記第１サージ吸収器と前記第２サージ吸収器とを電気的に接続するように設ける構成とすることにより、上述の課題を解決する。
【００１２】
また、本発明に係る他の雷保護回路は、第１サージ吸収器を、複数の入出力線のうちの１本の第１入出力線と複数の電源線のうちの１本の第１電源線とを電気的に接続するように設け、第２サージ吸収器を、前記第１入出力線とは異なる第２入出力線と前記第１電源線とは異なる第２電源線とを電気的に接続するように設け、第３サージ吸収器を、前記複数の入出力線間を電気的に接続するように設けて構成することにより、上述の課題を解決する。
【００１３】
更に、本発明に係る他の雷保護回路は、第１サージ吸収器を、複数の入出力線のうちの１本の第１入出力線と中性線に相当する電源線とを電気的に接続するように設け、第２サージ吸収器を、前記第１入出力線とは異なる第２入出力線と前記中性線に相当する電源線とを電気的に接続するように設けて構成することにより、上述の課題を解決する。
【００１４】
更にまた、本発明に係る他の雷保護回路は、電子機器に設けられたアース端子と、中性線に相当する電源線とを電気的に接続するように設けたサージ吸収器を備えることにより、上述の課題を解決する。
【００１５】
【発明の実施の形態】
以下、本発明の実施の形態について図面を参照して説明する。
【００１６】
［雷保護回路の第１構成例］
本発明は、例えば図１に示すように構成された第１構成例に係る雷保護回路に適用される。
【００１７】
この雷保護回路は、電源線を有する電話或いはＦＡＸ１に接続され、電話或いはＦＡＸ１と同一筐体内に収容されて構成されている。この電話或いはＦＡＸ１は、２本の通信線２Ａ、２Ｂと接続されると共に、２本の電源線３Ａ、３Ｂと接続されている。これにより、電話或いはＦＡＸ１では、商用電源と接続された電源線３Ａ、３Ｂからの電力供給を受けて起動し、通信線２Ａ、２Ｂにより電話回線等と接続して各種信号を送受信する。
【００１８】
雷保護回路は、通信線２Ａと電源線３Ａとの間を電気的に接続する第１サージ吸収器１１と、通信線２Ｂと電源線３Ｂとの間で電気的に接続する第２サージ吸収器１２と、第１サージ吸収器１１と第２サージ吸収器１２との間で電気的に接続する第３サージ吸収器１３とからなる。
【００１９】
第１サージ吸収器１１、第２サージ吸収器１２及び第３サージ吸収器１３は、例えば電圧依存性を有するサージ保護素子を備える。このサージ保護素子は、通常状態では高抵抗となっており、印加電圧が所定電圧を超えた場合に抵抗を急激に低下させることによって電圧値の制限を行う。また、このサージ保護素子としては、電話或いはＦＡＸ１の耐電圧以下の電圧に雷サージ電圧を制限するものを選択する。
【００２０】
このような雷保護回路は、第１サージ吸収器１１により通信線２Ａと電源線３Ａとの間を電気的にバイパスし、第２サージ吸収器１２により通信線２Ｂと電源線３Ｂとの間を電気的にバイパスしている。これにより、雷保護回路では、通信線２Ａと電源線３Ａとの間に印加される雷サージ電圧を第１サージ吸収器１１により制限し、通信線２Ｂと電源線３Ｂとの間に印加される雷サージ電圧を第２サージ吸収器１２により制限し、通信線２Ａと通信線２Ｂ及び電源線３Ａと電源線３Ｂの間に印加される雷サージ電圧を第３サージ吸収器１３により制限する。また、この雷保護回路では、通信線２Ａと電源線３Ｂとの間に印加される雷サージを第１サージ吸収器１１と第３サージ吸収器１３とのより制限し、通信線２Ｂと電源線３Ａとの間に印加される雷サージを第２サージ吸収器１２と第３サージ吸収器１３により制限する。
【００２１】
なお、本例では、第３サージ吸収器１３を、第１サージ吸収器１１及び第２サージ吸収器１２の電源線３Ａ、３Ｂ側に接続した場合を示したが、これに限らず、第１サージ吸収器１１及び第２サージ吸収器１２の通信線２Ａ、２Ｂ側に接続しても良い。
【００２２】
このように構成された雷保護回路は、電話或いはＦＡＸ１に関して多く存在する雷サージの侵入経路のうち、接地間の電位差に着目して雷サージに対して電話或いはＦＡＸ１を保護するために第１サージ吸収器１１、第２サージ吸収器１２及び第３サージ吸収器１３を設けている。
【００２３】
すなわち、誘導雷では、電磁界の影響によるものと論じられていることもあるが、電磁界の影響により電話或いはＦＡＸ１に雷サージが侵入するのであれば、建屋の鉄骨への誘導や全ての電子機器が影響を受けることになる。しかし、実際では、雷サージによる電子機器の故障がテレビや電話機等の限られたものに多い。このような電子機器は、全て２つ以上の接地点を有するものである。この２つ以上の接地点は、例えば商用電源のＢ種接点、Ｄ種接点、通信機器における保安器又は信号線により相互接続された機器の電源接地点のうち、２つの接地点が考えられる。
【００２４】
また、雷サージの誘導先となる大地は大きな容量を有し、電子機器に関して電位の基準とすることが多いが、接地抵抗が存在して接地間には電位差が発生する。
【００２５】
そこで、本発明を適用した雷保護回路では、誘導雷として電子機器に雷サージを与える原因となるのは、通信線２Ａ、２Ｂの接地電位と電源線３Ａ、３Ｂの接地電位との電位差であるとしている。すなわち、雷保護回路では、通信線２Ａ、２Ｂと電源線３Ａ、３Ｂとの間の接地点を第１サージ吸収器１１、第２サージ吸収器１２及び第３サージ吸収器１３によりバイパスすることにより、電話或いはＦＡＸ１にかかる誘導雷による雷サージ電圧を確実に制限して、電話或いはＦＡＸ１を確実に雷サージから保護することが可能となる。
【００２６】
更に、この雷保護回路によれば、雷サージの侵入経路が明確でなく複雑に仮定していた場合には多くのサージ吸収器を必要として複雑な構成としても確実に電話或いはＦＡＸ１を雷サージ電圧から保護することが困難であったが、雷サージの侵入経路を明確にしたことによりサージ吸収器の数を少なくして、設計余裕度を大きくすると共に、雷サージに対する保護性能を向上させることができる。
【００２７】
更にまた、この雷保護回路では、雷サージ電圧が印加される通信線２Ａ、２Ｂ及び電源線３Ａ、３Ｂの組み合わせの値が、通信線２Ａ、２Ｂの数（２）と電源線３Ａ、３Ｂの数（２）とを乗算した値（４）となるが、第１サージ吸収器１１と第２サージ吸収器１２との間に第３サージ吸収器１３を接続することにより、サージ電圧に対する電話或いはＦＡＸ１の保護を３つという最小数のサージ吸収器で実現することができる。
【００２８】
すなわち、通信線と電源線とを加算した本数をＮとすると、雷保護回路では、最小数の（Ｎ−１）個のサージ吸収器で全線に亘って配線することができる。したがって、この雷保護回路によれば、通信線２Ａ、２Ｂが他の機器の保安器や接地端子等を介して接地に接続するとしても、確実に電話或いはＦＡＸ１に印加される雷サージ電圧を制限することができる。
【００２９】
更にまた、この第１構成例に係る雷保護回路は、図２に示すように、電子機器として、ＴＶ／ビデオ記録再生機２１に接続されて構成されていても良い。この雷保護回路は、ＴＶ／ビデオ記録再生機２１と同一筐体内に収容されて構成されている。このＴＶ／ビデオ記録再生機２１は、複数のアンテナ線２２Ａ、２２Ｂと接続されると共に、複数の電源線３Ａ、３Ｂと接続されている。これにより、ＴＶ／ビデオ記録再生機２１では、商用電源と接続された電源線３Ａ、３Ｂからの電力供給を受けて起動し、アンテナ線２２Ａ、２２Ｂによりテレビ信号を受信する。
【００３０】
この雷保護回路は、第１サージ吸収器１１によりアンテナ線２２Ａと電源線３Ａとを電気的に接続し、第２サージ吸収器１２によりアンテナ線２２Ｂと電源線３Ｂとを電気的に接続し、第３サージ吸収器１３により第１サージ吸収器１１及び第２サージ吸収器１２とを電気的に接続している。
【００３１】
このように、図２に示すような場合であっても、図１の場合と同様にＴＶ／ビデオ記録再生機２１を確実に雷サージから保護することが可能となる。
【００３２】
［雷保護回路の第２構成例］
つぎに、本発明を適用した第２構成例に係る雷保護回路について説明する。
【００３３】
第２構成例に係る雷保護回路は、図３に示すように、通信機器３１に接続され、当該通信機器３１と同一筐体内に収容されて構成されている。この通信機器３１は、４本の通信線２Ａ、２Ｂ、２Ｃ、２Ｄと接続されると共に、２本の電源線３Ａ、３Ｂと接続されている。これにより、通信機器３１では、商用電源と接続された電源線３Ａ、３Ｂからの電力供給を受けて起動し、通信線２Ａ、２Ｂ、２Ｃ、２Ｄにより各種信号を送受信する。
【００３４】
また、この雷保護回路は、第１構成例における第３サージ吸収器１３に代えて、４本の通信線２Ａ、２Ｂ、２Ｃ、２Ｄ間を電気的に接続する第４サージ吸収器１４Ａ、１４Ｂ、１４Ｃを更に備える。このような雷保護回路では、通信線２Ｃと電源線３Ａとの間に印加される雷サージ電圧を第１サージ吸収器１１により制限し、通信線２Ｄと電源線３Ｂとの間に印加される雷サージ電圧を第２サージ吸収器１２により制限する。その他の通信線と電源線の間に印加される雷サージは、経路にあるサージ吸収器の組み合わせで制限する。具体的には、雷保護回路は、通信線２Ａと電源線３Ｂ間であれば第４サージ吸収器１４Ａ、１４Ｂ、１４Ｃ及び第２サージ吸収器１２により制限する。また、雷保護回路は、通信線２Ａと通信線２Ｂとの間に印加される雷サージ電圧を第４サージ吸収器１４Ａにより制限し、通信線２Ｂと通信線２Ｃとの間に印加される雷サージ電圧を第４サージ吸収器１４Ｂにより制限し、通信線２Ｃと通信線２Ｄとの間に印加される雷サージ電圧を第４サージ吸収器１４Ｃにより制限する。
【００３５】
このような雷保護回路では、第１構成例と同様に、雷サージ電圧が印加される通信線２Ａ、２Ｂ、２Ｃ、２Ｄ及び電源線３Ａ、３Ｂの組み合わせの値が、通信線の数（４）と電源線３Ａ、３Ｂの数（２）とを乗算した値（８）となるが、通信線２Ａ、２Ｂ、２Ｃ、２Ｄ間に第４サージ吸収器１４Ａ、１４Ｂ、１４Ｃを接続することにより、サージ電圧に対する通信機器３１の保護を５個という最小数のサージ吸収器で実現することができる。
【００３６】
すなわち、通信線と電源線とを加算した本数をＮとすると、雷保護回路では、最小数の（Ｎ−１）個のサージ吸収器で全線に亘って配線することができる。したがって、この雷保護回路によれば、通信線２Ａ、２Ｂ、２Ｃ、２Ｄが他の機器の保安器や接地端子等を介して接地に接続するとしても、確実に通信機器３１に印加される雷サージ電圧を制限することができる。
【００３７】
また、この雷保護回路によれば、第１構成例と同様に、雷サージに対する通信機器３１の確実な保護による信頼性の向上、設計余裕度を大きくすることができるのは勿論である。
【００３８】
なお、本例では、第３サージ吸収器１３に代えて第４サージ吸収器１４Ａ、１４Ｂ、１４Ｃを設けた一例について説明したが、第１サージ吸収器１１と第２サージ吸収器１２とを接続する第３サージ吸収器１３を設けた場合、第４サージ吸収器１４Ｃを省略でき、通信機器３１に対する雷サージ電圧を確実に制限できるのは勿論である。
【００３９】
［雷保護回路の第３構成例］
つぎに、本発明を適用した第３構成例に係る雷保護回路について説明する。
【００４０】
第３構成例に係る雷保護回路は、図４に示すように、太陽光パワーコンディショナ４１に接続され、当該太陽光パワーコンディショナ４１と同一筐体内に収容されて構成されている。この太陽光パワーコンディショナ４１は、図示しない太陽電池と接続された複数の太陽電池入力線４３Ａ、４３Ｂと接続されると共に、単相３線の電源線４２Ａ、４２Ｂ、４２Ｃと接続されている。これにより、太陽光パワーコンディショナ４１では、商用電源と接続された電源線４２Ａ、４２Ｂ、４２Ｃからの電力供給を受けて起動し、太陽電池入力線４３Ａ、４３Ｂによって太陽電池の電力調整をする。ここで、電源線４２Ａ、４２Ｂは電圧線であり、電源線４２Ｃは接地線に接続される中性線となっている。
【００４１】
このような雷保護回路は、第１サージ吸収器１１及び第２サージ吸収器１２の一方をそれぞれ太陽電池入力線４３Ａ及び太陽電池入力線４３Ｂに電気的に接続し、第１サージ吸収器１１及び第２サージ吸収器１２の他方を共に電源線４２Ｃ（Ｎ線）と電気的に接続している。
【００４２】
このような雷保護回路では、電源線４２Ａ、４２Ｂ、４２Ｃと太陽電池入力線４３Ａ、４３Ｂとの間で電気的に接続することによりバイパスして、雷サージに対して太陽光パワーコンディショナ４１を保護することができる。
【００４３】
また、第１構成例、第２構成例では、電源線のどの線が接地線になるか判らないため、電源線３Ａ、３Ｂそれぞれにサージ吸収器を接続するが、太陽光パワーコンディショナ４１が単相３線の電源線４２Ａ、４２Ｂ、４２Ｃと接続されているので、第１サージ吸収器１１及び第２サージ吸収器１２を必ず接地線につながっている電源線４２Ｃに接続するのみで雷サージに対して太陽光パワーコンディショナ４１を保護することができる。
【００４４】
すなわち、この雷保護回路では、第１構成例と同様に、雷サージ電圧が印加される太陽電池入力線４３Ａ、４３Ｂ及び電源線４２Ａ、４２Ｂ、４２Ｃの組み合わせの値が、太陽電池入力線４３Ａ、４３Ｂの数（２）と電源線４２Ａ、４２Ｂ、の数（３）とを乗算した値（６）となるが、第１サージ吸収器１１及び第２サージ吸収器１２を電源線４２Ｃのみに接続することにより、太陽電池入力線４３Ａ、４３Ｂと電源線４２Ａ、４２Ｂ、４２Ｃとの本数を加算した値をＮとすると、雷保護回路では、最小数の（Ｎ−３）個のサージ吸収器で全線に亘って配線することができる。
【００４５】
また、この雷保護回路によれば、第１構成例と同様に、雷サージに対する太陽光パワーコンディショナ４１の確実な保護による信頼性の向上、設計余裕度を大きくすることができるのは勿論である。
【００４６】
［雷保護回路の第４構成例］
つぎに、本発明を適用した第４構成例に係る雷保護回路について説明する。
【００４７】
第４構成例に係る雷保護回路は、図５に示すように、電気機器５１に接続され、当該電気機器５１と同一筐体内に収容されて構成されている。この電気機器５１は、アース端子５２を備えると共に単相３線の電源線４２Ａ、４２Ｂ、４２Ｃに接続されている。
【００４８】
この雷保護回路では、電源線４２Ａ、４２Ｂ、４２Ｃのうち、Ｎ線に相当する電源線４２Ｃと、アース端子５２とを電気的に接続するように第５サージ吸収器１５が設けられている。
【００４９】
このような雷保護回路では、電源線４２Ａ、４２Ｂ、４２Ｃとアース端子５２との間で電気的に接続することによりバイパスして、雷サージに対して電気機器５１を保護することができる。
【００５０】
また、この雷保護回路では、電気機器５１が単相３線の電源線４２Ａ、４２Ｂ、４２Ｃと接続されているので、第３構成例と同様に、第５サージ吸収器１５を電源線４２Ｃのみに接続するのみで雷サージに対して電気機器５１を保護することができる。
【００５１】
また、この雷保護回路によれば、第１構成例と同様に、雷サージに対する電気機器５１の確実な保護による信頼性の向上、設計余裕度を大きくすることができるのは勿論である。
【００５２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５３】
すなわち、電源線に避雷器を配置しただけの構成では電子機器に対する雷サージ保護は不十分であるが、保護対象となる電子機器の接地線を避雷器の接地線に接続することにより、雷サージをバイパスして保護することができる。具体的には、図２におけるＴＶ／ビデオ記録再生機２１のアンテナ線２２Ａ、２２Ｂを屋外に配置された避雷器の接地線に接続することにより、更に確実にＴＶ／ビデオ記録再生機２１を保護することが可能となる。
【００５４】
【発明の効果】
本発明に係る雷保護回路によれば、第１入出力線と第１電源線との電位差に基づくサージ電圧を第１サージ吸収器により吸収し、第２入出力線と第２電源線との電位差に基づくサージ電圧を第２サージ吸収器により吸収し、電源線間及び入出力線間の電位差に基づくサージ電圧を第３サージ吸収器により吸収することができるので、商用電源線と信号入出力線とを有する電子機器に対する雷サージを確実に保護すると共に、電子機器の設計余裕度を高くすることができる。
【００５５】
また、本発明に係る他の雷保護回路によれば、第１入出力線と第１電源線との間の電位差に基づくサージ電圧を第１サージ吸収器により吸収し、第２入出力線と第２電源線との間の電位差に基づくサージ電圧を第２サージ吸収器により吸収し、複数の入出力線間の電位差に基づくサージ電圧を第３サージ吸収器により吸収することができるので、商用電源線と信号入出力線とを有する電子機器に対する雷サージを確実に保護すると共に、電子機器の設計余裕度を高くすることができる。
【００５６】
更に、本発明に係る他の雷保護回路によれば、第１入出力線と中性線に相当する電源線との電位差に基づくサージ電圧を第１サージ吸収器により吸収し、第２入出力線と中性線に相当する電源線との電位差に基づくサージ電圧を第２サージ吸収器により吸収することができるので、商用電源線と信号入出力線とを有する電子機器に対する雷サージを確実に保護すると共に、電子機器の設計余裕度を高くすることができる。
【００５７】
更にまた、本発明に係る他の雷保護回路によれば、電子機器に設けられたアース端子と中性線に相当する電源線との電位差に基づくサージ電圧をサージ吸収器により吸収することができるので、電子機器に対する雷サージを確実に保護すると共に、電子機器の設計余裕度を高くすることができる。
【図面の簡単な説明】
【図１】本発明を適用した雷保護回路の第１構成例を示すブロック図である。
【図２】本発明を適用した雷保護回路の他の第１構成例を示すブロック図である。
【図３】本発明を適用した雷保護回路の第２構成例を示すブロック図である。
【図４】本発明を適用した雷保護回路の第３構成例を示すブロック図である。
【図５】本発明を適用した雷保護回路の第４構成例を示すブロック図である。
【符号の説明】
１  電話或いはＦＡＸ
２Ａ、２Ｂ  通信線
３Ａ、３Ｂ、４２Ａ、４２Ｂ、４２Ｃ  電源線
１１  第１サージ吸収器
１２  第２サージ吸収器
１３  第３サージ吸収器
１４Ａ、１４Ｂ、１４Ｃ  第４サージ吸収器
１５  第５サージ吸収器
２１  ＴＶ／ビデオ記録再生機
２２Ａ、２２Ｂ  アンテナ線
３１  通信機器
４１  太陽光パワーコンディショナ
４３Ａ、４３Ｂ  太陽電池入力線
５１  電気機器
５２  アース端子
【図１】
2004357363.tif 000003
【図２】
2004357363.tif 000004
【図３】
2004357363.tif 000005
【図４】
2004357363.tif 000006
【図５】
2004357363.tif 000007